(57)【特許請求の範囲】
【請求項１】
パチンコ遊技場において、吹出し口中心線を基準に相対する二方向に分流され遊技場通路と平行に室内に向けて吹き出されるように、吹出し口中心線で線対称となる断面形状を有する中央翼部と、同一形状の羽根を翼列として配置した翼列と、前記翼列を前記中心線で線対称となるように配置した対称翼列と、前記中央翼部と前記翼列と前記対称翼列を囲む支持板部により構成され、遊技場通路に設けられた二重床上面フロアパネルに前記遊技場通路と、前記中央翼部と前記翼列と前記対称翼列とが直交するように配置され、前記遊技場通路と平行に、空調空気を相対する二方向に吹き出すアンダーフロアー空調用吹出し口において、吹出し口表面に複数のリブを設け、前記リブのリブ間隔をパチンコ玉直径寸法以下でありハイヒールの踵が入り込まないように６ｍｍ以下とし、前記リブを前記翼列に対して直角となる方向に複数本配置されたことを特徴とするアンダーフロアー空調用吹出し口。
【請求項２】
リブ上のパチンコ玉が吹出し口の外側に転がり出すように、リブに吹出し口中心部とフランジ外周部との間で傾斜を設けた請求項１記載のアンダーフロアー空調用吹出し口。
【請求項３】
羽根表面とリブとの間の空間に補強材を設けた請求項１または２記載のアンダーフロアー空調用吹出し口。
【請求項４】
吹出し口下部に容器が設けられ、前記容器は前記吹出し口下面に連通し前記容器の対向する二面に側面開口を持ち、前記容器の前記側面開口の上辺から前記容器の底面に向けて傾斜した遮蔽板を有してなる請求項１、２、または３記載のアンダーフロアー空調用吹出し口。
【請求項５】
容器の対向する二面に設けられた側面開口を、床下を流れる気流方向に対し平行に配した請求項４記載のアンダーフロアー空調用吹出し口。
【発明の詳細な説明】
【０００１】
【発明の属する技術分野】
本発明は、パチンコ遊技場に使用されるアンダーフロアー空調用の吹出し口に関するものである。
【０００２】
【従来の技術】
近年、娯楽産業が急速な進展を遂げており、とりわけパチンコホールに代表される遊技場は全国各地に多数存在している。これらのパチンコホールのような遊技場における空調方式としては床面据置き型の空調装置および天井埋込み型の空調装置等を用いて、天井部分から空調空気を吹き出す方式が一般的であった。このような空調方式では、冷房時は内部発生負荷を考慮して空調装置の冷房能力を決定し、遊技場全体を均一な温度にするというものであり、一方暖房時は、天井部分から温風を吹き出すことで浮力による温度成層が生じ易くなり、遊技者の足元が暖まりにくく快適性が損なわれやすいというものであった。また遊技場においては、遊技者の喫煙や各種設備からの汚染空気および臭気の発生が有り、空調装置のほかに別途空気清浄装置や換気システムを設ける構成となっていた（例えば、特開平４−３２２６７９号公報）。
【０００３】
このため、このような遊技場における空調設備は一般の店舗などに比べ、イニシャルコストおよびランニングコストが膨大となっており、効率的な換気を実現し、居住域のみを空調することでイニシャルコストおよびランニングコストを低減し、省エネルギーが達成できる空調方式としてアンダーフロアー空調方式が遊技場等でも注目されてきている。
【０００４】
従来、アンダーフロアー空調方式用の吹出し口は、図１４に示すようなものが知られている。
【０００５】
以下、そのアンダーフロアー空調用吹出し口について図１４を参照しながら説明する。図に示すように、吹出し口１０１は室内に臨む断面形状が斜め形状となるスリット開口部１０２Ａが放射状に形成された丸形状の吹出しグリル部１０２と吹出しグリル部１０２の下方に配置され吹出しグリル部１０２に連通する筒状部１０３とからなり、筒状部１０３には円周に沿ってスリット開口部１０３Ａが設けられている。この吹出し口１０１は二重床の上面を構成するフロアパネル（図示せず）に数箇所にわたって設けられ、二重床内を流れる空調機からの空調空気１０４を筒状部１０３に設けたスリット開口部１０３Ａから流入させ、吹出しグリル部１０２のスリット開口部１０２Ａを用いて旋回させて室内に吹き出すようにしている。
【０００６】
【発明が解決しようとする課題】
このような従来のアンダーフロアー空調用吹出し口は、吹出し気流を旋回させ水平方向の拡散性を高めることができるものの、パチンコホール等の遊技場における通路のような幅が狭く遊技者同士が隣接しあう空間では、旋回気流の特性上、遊技者に直接気流があたってしまう課題があり、遊技者に気流感を与えない方向に空調空気を吹き出すことが要求されている。
【０００７】
また、開口部断面形状が直線となっているため、開口部に剥離流を生じ、開口部内を通過する気流が乱れ、圧力損失が大きくなるという課題があり、吹出し直後の剥離流の生成を抑制し圧力損失を低減させることが要求されている。
【０００８】
また、パチンコホール等の遊技場では、床仕上げ材に石材を用いることが多いが、丸型の吹出し口形状に合わせて石材の床仕上げ材を施工現場で丸く切断加工できないという課題があり、現場施工性を向上することが要求されている。
【０００９】
また、冷房時は床面への冷気の停滞を抑制するために、吹出し気流を立ち上げなければならないという課題があり、吹出し気流の鉛直方向の拡散性を高くすることが要求されている。
【００１０】
また、暖房時は浮力により暖気は上昇するため、足元が寒くなるという課題があり、吹出し気流の水平成分を維持し、暖気を床面に沿わせることが要求されている。
【００１１】
また、吹出し口の開口寸法がパチンコ玉の直径寸法を越えていると吹出し口から二重床内にパチンコ玉が落ちるという課題があり、パチンコ玉を二重床内へ落とさない構造にすることが要求されている。
【００１２】
また、吹出し口表面に留まっているパチンコ玉の上を人が踏んだときに、パチンコ玉で転倒するという課題があり、パチンコ玉を吹出し口表面に停滞させないことが要求されている。
【００１３】
また、車体重量の増加した台車が吹出し口上を通過したとき、重量で吹出し口が破損するという課題があり、吹出し口の強度を向上させることが要求されている。
【００１４】
また、ジュース等の液体をこぼしたときに吹出し口から床下へ流れ落ちてしまうという課題があり、床下内へ液体の流入が防止できることが要求されている。
【００１５】
また、通路下に二重床を形成し、通路と平行に二重床内を空調空気が流れるため、吹出し口に形成された開口部に空調空気が均一に流入せず、下流側の開口部からのみ吹き出すという課題があり、吹出し気流方向が一方向に偏らないことが要求されている。
【００１６】
本発明は、このような従来の課題を解決するものであり、パチンコ玉を二重床内に落とさないようにでき、また、パチンコ玉を吹出し口の外に転がり出させることができ、また、吹出し口強度を増加させることができ、また、床下内への液体の流入を防止することができ、また、空調空気を均一に吹き出すことのできるアンダーフロアー空調用吹出し口を提供することを目的としている。
【００１７】
【課題を解決するための手段】
本発明のアンダーフロアー空調用吹出し口は上記目的を達成するために、パチンコ遊技場において、吹出し口中心線を基準に相対する二方向に分流され遊技場通路と平行に室内に向けて吹き出されるように、吹出し口中心線で線対称となる断面形状を有する中央翼部と、同一形状の羽根を翼列として配置した翼列と、前記翼列を前記中心線で線対称となるように配置した対称翼列と、前記中央翼部と前記翼列と前記対称翼列を囲む支持板部により構成され、遊技場通路に設けられた二重床上面フロアパネルに前記遊技場通路と、前記中央翼部と前記翼列と前記対称翼列とが直交するように配置され、前記遊技場通路と平行に、空調空気を相対する二方向に吹き出すアンダーフロアー空調用吹出し口において、吹出し口表面に複数のリブを設け、前記リブのリブ間隔をパチンコ玉直径寸法以下でありハイヒールの踵が入り込まないように６ｍｍ以下とし、前記リブを前記翼列に対して直角となる方向に複数本配置したものである。
【００１８】
そして本発明によれば、パチンコ玉を二重床内に落下させず、ハイヒールの踵も吹出し口に入り込まず、吹出し口中心線を基準に相対する二方向に分流され、遊技場通路と平行に室内に向けて吹き出され、遊技場通路の両側にいる遊技者に吹出し気流による気流感を感じさせず空調することが可能となるアンダーフロアー空調用吹出し口が得られる。
【００１９】
また他の手段は、リブ上のパチンコ玉が吹出し口の外側に転がり出すように、リブに吹出し口中心部とフランジ外周部との間で傾斜を設けたものである。
【００２０】
そして本発明によれば、パチンコ玉による転倒を防止できるアンダーフロアー空調用吹出し口が得られる。
【００２１】
また他の手段は、羽根表面上とリブとの間の空間に補強材を設けたものである。
【００２２】
そして本発明によれば、吹出し口強度を増加させたアンダーフロアー空調用吹出し口が得られる。
【００２３】
また他の手段は、吹出し口下部に容器が設けられ、前記容器は前記吹出し口下面に連通し前記容器の対向する二面に側面開口を持ち、前記容器の前記側面開口の上辺から前記容器の底面に向けて傾斜した遮蔽板を有してなるものである。
【００２４】
そして本発明によれば、二重床内への液体の流入を防止できるアンダーフロアー空調用吹出し口が得られる。
【００２５】
また他の手段は、容器の対向する二面に設けられた側面開口を、二重床内を流れる空調空気の気流方向に対し平行に配し、容器側面から空調空気を流入させるようにしたものである。
【００２６】
そして本発明によれば、空調空気を均一に吹き出すことのできるアンダーフロアー空調用吹出し口が得られる。
【００２７】
【発明の実施の形態】
本発明は、パチンコ遊技場において、吹出し口中心線を基準に相対する二方向に分流され遊技場通路と平行に室内に向けて吹き出されるように、吹出し口中心線で線対称となる断面形状を有する中央翼部と、同一形状の羽根を翼列として配置した翼列と、前記翼列を前記中心線で線対称となるように配置した対称翼列と、前記中央翼部と前記翼列と前記対称翼列を囲む支持板部により構成され、遊技場通路に設けられた二重床上面フロアパネルに前記遊技場通路と、前記中央翼部と前記翼列と前記対称翼列とが直交するように配置され、前記遊技場通路と平行に、空調空気を相対する二方向に吹き出すアンダーフロアー空調用吹出し口において、吹出し口表面に複数のリブを設け、前記リブのリブ間隔をパチンコ玉直径寸法以下でありハイヒールの踵が入り込まないように６ｍｍ以下とし、前記リブを前記翼列に対して直角となる方向に複数本配置したものであり、リブとリブとの間隔がパチンコ玉の直径寸法以下のため、パチンコ玉をリブ表面で受け止め吹出し口から落とさず、ハイヒールの踵も吹出し口に入り込まず、吹出し口中心線を基準に相対する二方向に分流され、遊技場通路と平行に室内に向けて吹き出され、遊技場通路の両側にいる遊技者に吹出し気流による気流感を感じさせず空調することが可能という作用を有する。また、リブ上のパチンコ玉が吹出し口の外側に転がり出すように、吹出し口中心部におけるリブの厚みを端部よりも大きくすることによりリブに吹出し口中心部とフランジ外周部との間で傾斜を設けたものであり、パチンコ玉を吹出し口から外へ転がり出させるという作用を有する。また、羽根表面上とリブとの間の空間に補強材を設けたものであり、羽根肉厚を厚くせずに吹出し口強度を向上できるという作用を有する。また、吹出し口下部に容器が設けられ、前記容器は前記吹出し口下面に連通し前記容器の対向する二面に側面開口を持ち、前記側面開口の上辺から底面に向けて傾斜した遮蔽板を有しており、吹出し口から流れ落ちた液体を受け止めるという作用を有する。また、容器の対向する二面に設けられた側面開口を、二重床内を流れる空調空気の気流方向に対し平行に配したものであり、空調空気を容器側面より吹出し口に流入させることができ開口部への空調空気の偏りを抑制し、室内に均一に吹き出させるという作用を有する。
【００２８】
【実施例】
（参考例１）
なお、従来例と同一部分には同一符号を付け詳細な説明は省略する。
【００２９】
図１および図２に示すように、吹出し口１は、吹出し口中心線２を基準に相対する二方向に分流され遊技場通路と平行に室内に向けて吹き出されるように、吹出し口中心線２で線対称となり、かつ気流入口前端７が吹出し口中心線２上に位置し気流出口後端８の両端が吹出し気流方向に向けて広くなった断面形状を有する中央翼３と、同一翼形状の羽根４Ａを羽根４Ａの気流入口前端７が吹出し口中心線２側になるように、かつ吹出し口中心線２と平行に等間隔で４枚並べた翼列４と、吹出し口中心線２で翼列４の線対称となるように配置した対称翼列５と、中央翼３と翼列４と対称翼列５を囲む支持板６により構成され、遊技場通路９に設けられた二重床上面フロアパネル１０に遊技場通路９と、中央翼３と翼列４と対称翼列５とが直交するように等間隔で複数個配置される。
【００３０】
上記構成において、二重床内を流れる空調空気１０４は、吹出し口１の下方から吹出し口１へ流入し、吹出し口中心線２で線対称となっている中央翼３と翼列４と翼列４の吹出し口中心線２の線対称となっている対称翼列５によって吹出し口中心線２を基準に相対する二方向に分流され、遊技場通路９と平行に室内に向けて吹き出される。このため、遊技場通路９の両側にいる遊技者に吹出し気流による気流感を感じさせず空調することが可能となる。
【００３１】
なお、参考例では、翼列を構成する羽根枚数を４枚としたが、枚数を増減させてもよく、その作用効果に差異を生じない。
【００３２】
（参考例２）
なお、従来例、参考例１と同一部分には同一符号を付け詳細な説明は省略する。
【００３３】
図３および図４に示すように、羽根４Ａは羽根中心線１１を二次曲線とし、羽根中心線１１における羽根４Ａの羽根高さｈと空調空気の流入角度αと流出角度βと肉厚ｔから定義される。ここで、流出角度βは羽根高さｈにおける二次曲線の接線角度とする。また二次曲線は、鉛直方向をＸ軸、水平方向をＹ軸にとり、Ｘ軸とＹ軸の交点である座標原点で流入角度αが接線角度となるように設定し、羽根高さｈで流出角度βの接線角度を有するように設定される。この二次曲線で座標原点からＸ座標が羽根高さｈと等しくなるまでの区間が羽根中心線１１として用いられる。流入角度αは、空調空気１０４の翼列４への流入を考慮し、水平方向軸であるＹ軸に対して垂直となるように設定し、流出角度βは吹出し角度として二次曲線を構成可能な範囲、すなわちβは０度≦β＜９０度で設定する。この定義された羽根４Ａを４枚並べて翼列４が構成される。
【００３４】
上記構成において、二重床内を流れてきた空調空気１０４は、翼列４に対し垂直に流入し、各羽根４Ａの表面および裏面によって生じる翼間通路１２内を各羽根４Ａの曲線形状の表面および曲線形状の裏面に沿って徐々に方向を変化させながら最終的に流出角度βとして室内に吹き出される。このように空調空気１０４が翼間通路１２を通過する間、常に羽根４Ａの表面あるいは裏面に接触しているため、方向の変化をスムーズに行うことができ剥離流が生じにくく、気流を乱すことなく吹き出すことが可能となる。
【００３５】
なお、参考例では、翼列を構成する羽根枚数を４枚としたが、枚数を増減させてもよく、その作用効果に差異を生じない。
【００３６】
（参考例３）
なお、従来例、参考例１と同一部分には同一符号を付け詳細な説明は省略する。
【００３７】
図５に示すように、吹出し口１の外形を四角形状１３とし、外周部１４にフロアパネル１０に形成したパネル開口１５の開口寸法以上の寸法をもつフランジ１６を備える。
【００３８】
上記構成において、吹出し口１の外形が四角形状１３であり、直線形状で形成されるため、施工現場において吹出し口１の外形にあわせて床仕上げ材の加工が可能となる。また、フロアパネル１０に形成したパネル開口１５に吹出し口１をはめ込んだ時、フランジ１６がパネル開口１５の周囲を覆い隠すため、床仕上げ材の切断加工面をパネル開口１５に一致させる必要がなくなり、床仕上げ材の現場加工時間を短縮することができる。
【００３９】
（参考例４）
なお、従来例、参考例１、参考例２と同一部分には同一符号を付け詳細な説明は省略する。
【００４０】
図６に示すように、中央翼３と、同一形状の羽根４Ａを４枚並べて構成した翼列４の翼間隔１７を中央翼３と翼列４の先頭の羽根４Ａとの翼間隔１７Ａをｄ１とし、翼列４内の３つの翼間隔１７をそれぞれ吹出し口中心部１８から吹出し口端部１９にかけて翼間隔１７Ｂをｄ２、翼間隔１７Ｃをｄ３、翼間隔１７Ｄをｄ４とし、ｄ１＞ｄ２＞ｄ３＞ｄ４となるように中央翼３と翼列４を構成する羽根４Ａを不等間隔で配置する。
【００４１】
上記構成において、ｄ４を１としてｄ１をｄ４の４〜５倍、ｄ２をｄ４の３〜３．５倍、ｄ３をｄ４の２倍に設定すると、空調空気１０４が吹出し口１から吹き出す際に、翼間隔１７Ａの翼間通路１２では立ち上り、翼間隔１７Ｂの翼間通路１２から翼間隔１７Ｃの翼間通路１２、さらに翼間隔１７Ｄの翼間通路１２にかけて徐々に水平に近づく。このため、吹出し気流は鉛直方向へ拡散しやすくなり、図７に示すような吹出し口中心線２に対して直角な吹出し口１を二等分する鉛直断面における吹出し気流の風速分布となり、吹出し後の風速を吹出し口中心部１８を中心とした同心円状に等速分布を形成し、鉛直断面方向の拡散性を向上させることができる。
【００４２】
なお、参考例では、同一形状の羽根を不等間隔として配置することにより吹出し後の風速を吹出し口中心部を中心とする同心円状に等速分布させたが、吹出し口中心部から吹出し口端部にかけて不等形状の羽根を翼列として等間隔で配置してもよく、その作用効果に差異は生じない。
【００４３】
（参考例５）
なお、従来例、参考例１、参考例２、参考例３と同一部分には同一符号を付け詳細な説明は省略する。
【００４４】
図８に示すように、羽根上面終端部２０を表面側曲線形状２１に合わせてフランジ１６の末端まで延長して翼列４の翼列最終翼２２とする。
【００４５】
上記構成において、翼列最終翼２２とそのひとつ前の羽根４Ａによって形成される翼間通路１２を通過した空調空気１０４は、羽根上面終端部２０をフランジ１６の末端まで表面側曲線形状２１に合わせて延長された翼列最終翼２２の曲線表面におけるコアンダ効果による影響を受け、床面に沿って水平に吹き出される傾向が強くなる。このため、浮力による暖気の立ち上がりを抑制し、暖房時に床面に沿って温風を供給でき、温度成層を生じにくくするため、快適性を損なわない。
【００４６】
なお、実施例では、表面側曲線形状に合わせて羽根上面終端部を延長したが、そのまま直線形状で延長してもよく、その作用効果に差異を生じない。
【００４７】
（実施例１）
なお、従来例、参考例１、参考例２、参考例３と同一部分には同一符号を付け詳細な説明は省略する。
【００４８】
図９に示すように、吹出し口表面２３に複数本のリブ２４をパチンコ玉２５の直径寸法以下のリブ間隔２６で翼列４に対して直角となる方向に配置する。
【００４９】
上記構成において、パチンコ玉２５が吹出し口表面２３に落下もしくは移動してきたとき、吹出し口表面２３にパチンコ玉２５の直径寸法以下のリブ間隔２６で翼列４に対して直角となる方向に複数本配置されたリブ２４によってパチンコ玉２５を受け止め、二重床内に入り込んでしまうことを防止できる。
【００５０】
なお、実施例では、リブ間隔をパチンコ玉の直径以下としたが、ハイヒールの踵も吹出し口に入り込まないように間隔６ｍｍ以下にするほうが、なお好ましい。
【００５１】
（実施例２）
なお、従来例、参考例１、参考例２、参考例３、実施例１と同一部分には同一符号を付け詳細な説明は省略する。
【００５２】
図１０に示すように、吹出し口表面２３にパチンコ玉２５の直径寸法以下のリブ間隔２６で翼列４に対して直角となる方向に複数本配置したリブ２４に吹出し口中心部１８でのリブ肉厚２７をフランジ外周部２８でのリブ肉厚２７よりも厚くして高低差をつけ傾斜２９を形成する。
【００５３】
上記構成において、パチンコ玉２５が吹出し口表面２３に落下もしくは移動してきたとき、吹出し口表面２３にパチンコ玉２５の直径寸法以下のリブ間隔２６で複数本配置されたリブ２４によってパチンコ玉２５を受け止め、リブ肉厚２７を吹出し口中心部１８とフランジ外周部２８とで１ｍｍ以上吹出し口中心部１８を厚くして高低差をつけて形成した傾斜２９により、パチンコ玉２５を吹出し口１の外側へ転がり出させるようにする。このため、吹出し口表面２３にパチンコ玉２５が停滞することがなく、パチンコ玉２５で足を滑らせて遊技者が転倒することを防止できる。
【００５４】
なお、実施例では、吹出し口中心部でのリブ肉厚をフランジ外周部でのリブ肉厚よりも１ｍｍ以上厚くして高低差をつけ傾斜を形成したが、パチンコ玉が自発的に転がることができるだけの運動エネルギーを与えられれば高低差は１ｍｍ以下でも良く、その作用効果に差異は生じない。
【００５５】
（実施例３）
なお、従来例、参考例１、参考例２、参考例３、実施例１と同一部分には同一符号を付け詳細な説明は省略する。
【００５６】
図１１に示すように、吹出し口表面２３に翼列４に直角となる方向に配置し、吹出し口中心部１８とフランジ外周部２８とで高低差をつけ傾斜２９を形成したリブ２４と翼列４を形成する羽根４Ａの羽根表面３０との間の空間に補強材３１を設置する。
【００５７】
上記構成において、吹出し口表面２３に配置したリブ２４と翼列４を形成する羽根４Ａの羽根表面３０との間の空間に補強材３１を設置することにより、吹出し口１の鉛直方向における強度を向上させることができ、車重の重い台車が吹出し口１上を通過しても吹出し口１を破損から防止できる。
【００５８】
（実施例４）
なお、従来例、参考例１と同一部分には同一符号を付け詳細な説明は省略する。
【００５９】
図１２に示すように、吹出し口下面３２に連通し、相対二面に側面開口３３を有し、側面開口３３の上辺３４から底面３５に向かって傾斜させた遮蔽板３６を有する容器３７により構成される。
【００６０】
上記構成において、吹出し口１からこぼれた少量のジュースなどの液体は、吹出し口下面３２に連通した容器３７の側面開口３３に設けられた遮蔽板３６によって容器３７の底面３５に向けて容器３７の内側に流れ落ち、容器３７の底面３５に溜められる。このため、空調空気１０４の流入用に開口された容器３７の側面開口３３を通じて吹出し口１からこぼれてきた少量の液体が二重床内に流れ落ちることを防止できる。
【００６１】
なお、実施例では、傾斜させた遮蔽板としたが、曲線形状としてもよく、その作用効果に差異は生じない。
【００６２】
（実施例５）
なお、従来例、参考例１、実施例４と同一部分には同一符号を付け詳細な説明は省略する。
【００６３】
図１３に示すように、吹出し口下面３２に連通し、相対二面に側面開口３３を有し、側面開口３３の上辺３４から底面３５に向かって傾斜させた遮蔽板３６を有する容器３７の向きを相対する二面の側面開口３３が二重床内を流れる空調空気１０４に対して平行に配置する。
【００６４】
上記構成において、二重床内を流れる空調空気１０４に対して平行に側面開口３３が位置するため、容器３７の側面方向から空調空気１０４が流入し、上に位置する翼列４と対称翼列５に均等に分流される。このため、空調空気１０４が吹出し口１の流れの下流側に位置する翼列４あるいは対称翼列５からのみ吹き出すといった吹出し気流の偏向性を緩和し、二方向に均一に吹き出すことができる。
【００６５】
【発明の効果】
以上の実施例から明らかなように、本発明によれば遊技者に気流感を与えない方向に空調空気を吹き出すことのできるアンダーフロアー空調用吹出し口を提供できる。
【００６６】
また、吹出し口での圧力損失を低減できるアンダーフロアー空調用吹出し口を提供できる。
【００６７】
また、現場施工性を向上できるアンダーフロアー空調用吹出し口を提供できる。
【００６８】
また、鉛直断面方向への吹出し気流の拡散性を向上させたアンダーフロアー空調用吹出し口を提供できる。
【００６９】
また、暖房時の快適性を損なわないアンダーフロアー空調用吹出し口を提供できる。
【００７０】
また、パチンコ玉が吹出し口から二重床内に落下しないアンダーフロアー空調用吹出し口を提供できる。
【００７１】
また、パチンコ玉による遊技者の転倒を防止するアンダーフロアー空調用吹出し口を提供できる。
【００７２】
また、鉛直方向への強度を向上させたアンダーフロアー空調用吹出し口を提供できる。
【００７３】
また、二重床への液体の流入を防止できるアンダーフロアー空調用吹出し口を提供できる。
【００７４】
また、吹出し気流の偏向性を緩和し、二方向に均一に吹き出すことのできるアンダーフロアー空調用吹出し口を提供できる。
【図面の簡単な説明】
【図１】  本発明の参考例１のアンダーフロアー空調用吹出し口の断面図
【図２】  同アンダーフロアー空調用吹出し口の配置図
【図３】  本発明の参考例２のアンダーフロアー空調用吹出し口の断面図
【図４】  同羽根詳細図
【図５】  本発明の参考例３のアンダーフロアー空調用吹出し口の斜視図
【図６】  本発明の参考例４のアンダーフロアー空調用吹出し口の断面図
【図７】  同吹出し風速分布図
【図８】  本発明の参考例５のアンダーフロアー空調用吹出し口の断面図
【図９】  （ａ）本発明の実施例１のアンダーフロアー空調用吹出し口の正面図
（ｂ）同側断面図
【図１０】  本発明の実施例２のアンダーフロアー空調用吹出し口の断面図
【図１１】  本発明の実施例３のアンダーフロアー空調用吹出し口の断面図
【図１２】  本発明の実施例４のアンダーフロアー空調用吹出し口と容器の斜視図
【図１３】  本発明の実施例５の容器の配置図
【図１４】  従来のアンダーフロアー空調用吹出し口を示す図
【符号の説明】
１    吹出し口
２    吹出し口中心線
３    中央翼
４    翼列
４Ａ  羽根
５    対称翼列
６    支持板
１１  羽根中心線
１３  四角形状
１４  外周部
１６  フランジ
１７  翼間隔
１８  吹出し口中心部
１９  吹出し口端部
２０  羽根上面終端部
２２  翼列最終翼
２３  吹出し口表面
２４  リブ
２５  パチンコ玉
２６  リブ間隔
２７  リブ肉厚
２８  フランジ外周部
２９  傾斜
３０  羽根表面
３１  補強材
３２  吹出し口下面
３３  側面開口
３４  上辺
３５  底面
３６  遮蔽板
３７  容器
【図１】
0003708259.tif 000002
【図２】
0003708259.tif 000003
【図３】
0003708259.tif 000004
【図４】
0003708259.tif 000005
【図５】
0003708259.tif 000006
【図６】
0003708259.tif 000007
【図７】
0003708259.tif 000008
【図８】
0003708259.tif 000009
【図９】
0003708259.tif 000010
【図１０】
0003708259.tif 000011
【図１１】
0003708259.tif 000012
【図１２】
0003708259.tif 000013
【図１３】
0003708259.tif 000014
【図１４】
0003708259.tif 000015